(57)【要約】      （修正有）【課題】熟練した技術者の施工を必要とせず、安価にでき、ホゾ抜けを原因とする損壊がない制震部材を提供する。【解決手段】木造住宅の柱と梁など躯体を構成する構造用木材の接合する箇所に合成樹脂成型品の面をしっかり固定させることにより、地震や強風による揺れを吸収し建物の損壊を防ぐ。合成樹脂成型品は瘤状の空気室を含有し樹脂の弾性を一層引き出す。それは同時に、軽量化につながり、画一化した限られた種類の合成樹脂成型品はコストダウンで安価になり、木造住宅の地震に対する補強工事は著しく進む。【選択図】図１
0003114780.tif 000002
【実用新案登録請求の範囲】
【請求項１】
合成樹脂成型により製造された瘤状の塊を含有する部材を、木造住宅の構造を組む木材の交差する９０度以下の箇所に合成樹脂成型品の面と木材の面を密着させることにより固定する。
【請求項２】
上記成型品の瘤状と表現した塊はその内部が少なくとも一つ以上の閉ざされた空気室から成り立っていることを特徴とする請求項１の制震部材。
【請求項３】
合成樹脂成型品の瘤状と表現した塊は合成樹脂の面と木材の面を密着させることにより、少なくとも一つ以上の閉ざされた空気室を生ずることを特徴とする請求項１の制震部材
【請求項４】
合成樹脂成型品は接着剤の塗布によってその面と木材の面を接着し、揺れによって離反させないことを特徴とする請求項１および請求項２もしくは請求項３の制震部材。
【請求項５】
合成樹脂成型品は接着剤の塗布によってその面と木材の面を接着し、さらに、ビス等の止め金具を併用することにより、各々の面と面をより強固に接着させることを特徴とする請求項１および請求項２もしくは請求項３の制震部材。
【請求項６】
合成樹脂成型品は成型時に閉ざされた空気室から成り立っていることを前提として、ビス等の止め金具によってその合成樹脂の面と木材の面を密着させることを特徴とする請求項１および請求項２の制震部材。
【請求項７】
合成樹脂成型により製造された少なくとも一つ以上の空気室を含有する瘤状の塊はその役割たる緩衝性を損なわない程度に、外気と気圧の調整をするために、小さな穴もしくは亀裂を持つことを可とする請求項１および請求項２もしくは請求項３の制震部材。
【考案の詳細な説明】
【考案の詳細な説明】
【技術分野】
【０００１】本考案は、木造住宅の耐震補強に合成樹脂成型品を使って、より簡易に、かつ安価に施工するための制震部材に関する考案である。
【背景技術】
【０００２】構造用木材の主に縦軸横軸の交差する箇所、すなわち柱と梁あるいは土台と柱などの地震の揺れによって損傷が懸念される箇所の補強には、しばしば、側面からのＴ字型の隅金やＬ字型の棚受のような金折隅金を木ねじなどで固定していた。その後その施工による効果の大きくないことが実証されてから、様々な施工方法が生み出されている。しかしそれらの多くは、熟練した技能者によってのみ可能な施工方法となっている。
【考案が解決しようとする課題】
【０００３】Ｔ字型やＬ字型の金物のように施工が簡単である部材の欠点は、地震などの激しい揺れの最中に、木ねじなどの留め金が緩み、あるいは抜け落ちて、本来金物の面で木材を押さえつけて骨組みを守る筈の役目を失ってしまうことにある。また、その後の様々な施工技術は、安全のために多くの費用を求めている。
【０００４】また、木造建築物の地震による構造的欠点は、木材の性質上たわみというものが発生し、その構造体の粘りがどの程度のものかにより被害程度が大きくなる。さらには、縦揺れの時のホゾ抜けという現象が被害を大きくする。
【考案の開示】
【課題を解決するための手段】
【０００５】そこで、本考案の目的は、専門業者に依頼するしないに係わらず取り付けが容易な制震部材の提供であり、その部材の固定装着が専門業者に依頼された場合も、費用がわかり易く提示されることにある。そして、取り付けられた部材が、木造建築物の地震による縦横の大きなたわみや飛び跳ねを緩衝しあるいは制御させることにある。【０００６】上記目的を達成するために、本考案の合成樹脂による制震部材は、図１に代表するとおり、合成樹脂の面と木材の面を接着剤を媒介として固定する。下部から上部に向けて取り付ける場合や、木材表面の汚れにより圧着を求められる場合は、ステープルなどで接着を補助する。合成樹脂のその内部には少なくとも一つ以上の空気室を抱き、樹脂の持つ弾性を生かし、揺れを効果的に吸収させる。【０００７】本考案では、制震部材と木材の面と面による接着によって、Ｔ字型やＬ字型の金物においての止め具の緩みや欠落の欠点を払拭している。木材と合成樹脂との接着の相性の良さが本考案の柱になっている。【０００８】また、本考案部材の取付け箇所である木材の接合部分については、人間に例えれば関節のような力のかかる箇所である為、軟骨のような柔軟性のある素材が好ましい。仮に、Ｔ字型やＬ字型の金物が木材との接着において、樹脂のそれと同程度の強度を保持できたとすればどうか。強固に関節部分を押さえ込めば、今度は、木材を組んだ箇所と別のその箇所との間に大きなたわみがかかってそこで木材が破断する。【０００９】そこで本考案は、取り付ける樹脂の内部を閉ざされた少なくとも一つ以上の空洞を含有することにより地震の揺れに柔軟に耐えるよう工夫されている。図２あるいは図３のように取付け可能な箇所全てに取り付けることにより、張力・圧力さらには捩れにも部材同士が干渉しあって効果を挙げる。垂直水平の両面の確かな接着により、両面からの圧力を瘤の部分で緩衝し、上下動にも耐える。【００１０】本考案の合成樹脂成型耐震部材の内包する少なくとも一つ以上の空気室は、空気室が多数のときは、非常に多くの気泡を含む瘤状の塊である。この瘤状の塊はその形状を特定しない。原料とする樹脂の量を少なく抑え、かつ効果的に弾性を生み出す役目を負う。部材の容積を大きく取り、接着面の広さとクッションとなる瘤状突起を大きくさせ、軽量化を計るとともにコストを抑える。【００１１】部材となる合成樹脂は、たとえば、塩ビ系の柔らかな素材でもよく、ポリカーボネイトのような硬質樹脂でもよいが、揺れの大きな上層階には、塩ビ系で、一階床下のように揺れそのものよりもかかる力の大きな箇所には、ポリカーボネイトを材料とするなど、樹脂の選択と、当然ながらそのときの木材との接着剤の選択は異なる。【００１２】また、請求項６の接着剤を用いずに瘤状の少なくとも一つ以上の空気室を含有する合成樹脂成型品を木材に固定するときその瘤状の塊は請求項２に説明のとおり成型時に閉ざされた空気室となっている必要があるが、ビス等で固定するには面と面との離反をさせないため、ワッシャーの工夫は必要である。
【考案の効果】
【００１３】以上の説明で明らかなように、金型を数種類の少なさに限定して成型された合成樹脂成型品はコストが安価である。安価な製品であり、かつ施工が単純であれば、専門家に依頼しなくとも耐震補強は行い易い。また、その施工を業者に委託した場合でも、部材の単価と取付工賃が判りやすく明示されるため安心である。よって、既存あるいは新築の木造住宅の耐震補強は進みやすい。【００１４】また、建物固有の振動特性を考えるとき、木造建築物のように履歴減衰利用型の建物は、大地震のときに地震エネルギーを構造体の粘りで抵抗させ崩壊させないように設計されている。本考案の合成樹脂による制震部材は、縦軸と横軸の両面同時接着により、横揺れ地震の時に梁と柱の接合部分などにかかる揺れによる歪を緩衝し、縦揺れの場合の柱が抜け落ちてしまうようなホゾ抜けにも効果を期待できる。
【考案を実施するための最良の形態】
【００１５】図１は合成樹脂成型により製造された瘤状の塊を含有する部材を、木造住宅の構造を組む木材の縦軸１と横軸２の交差する箇所に取り付けたときの斜視図である。３，４は瘤状の塊と表現した少なくとも一つ以上の空気室を含有する部分とその内部であり、この部分が閉ざされていることにより、構造材の交差する箇所にかかる揺れの負担をクッションとなって変形しながら圧縮と伸張と捻れで吸収する。【００１６】５はこの部材のせり出した羽であり、その効果は制振部材と木質を密着させる面をより大きく取り、地震の振動から受ける力を確実に瘤の部分に伝える為である。いまひとつの役目は請求項５あるいは請求項６のビス等の止め金具を用いるときにその金具を打ち付ける箇所である。【００１７】図２は図１の部材そのものを斜視図として表している。６は木質と接する面である。図１，図３，図４は図２の部材を一方向，二方向，三方向から取り付けたときの斜視図である。本考案の制震部材は対象となる木造建築物の取り付け可能な箇所により多く取り付けたときにより大きな効果を生み出す。【００１８】図３の場合は横軸の梁あるいは土台の延長線上に揺れたとき左右の部材が互いに押され引っ張られ状態になり、緩衝物としての効果を発揮する。図４においては、三方向の圧力を緩和する。【００１９】本部材は、請求項４あるいは請求項５にあるように、接着剤を用いれば、揺れの横方向のみならず、ホゾ抜けを生じる激しい直下型の縦揺れ地震においても大きな効果を示す。
図５および図６は請求項３に記載の部材を説明する為に描いたそのサンプルである。瘤状の塊は開かれている。しかし６の面が木材と密着することにより、４ａあるいは４ｂの空間が閉ざされ、前述の効果を生む。【００２０】請求項６に記載の部材とは、図２のように閉ざされた部材が図５や図６のように、閉ざされた空気室を取り囲むようにビスなどの金具で止められることであり、７のような開口部があっては成り立たない。
【図面の簡単な説明】
【図１】本考案にかかる合成樹脂成型品を構造用木材の縦軸と横軸の交差する箇所に取り付けたときの斜視図である。
【図２】閉ざされた空気室を含有する合成樹脂成型品のサンプルとする部材の斜視図である。
【図３】図２の部材を二方向より取り付けたときの斜視図である。
【図４】図２の部材を三方向より取り付けたときの斜視図である。
【図５】請求項３に記載の、合成樹脂の面と木材の面を密着させることによ、少なくとも一つ以上の閉ざされた空気室を生ずることを特徴とする合成樹脂部材を説明するサンプルの斜視図である。
【図６】同じく請求項３に記載の方法を図５とは異なった方法で取り付けたときのサンプルの斜視図である。
【符号の説明】
１    縦方向の木質構造材
２    横方向の木質構造部材
３    瘤形状部分
４    成型時に閉ざされた一つ以上の空気室
４ａ  ６が木材と密着されることにより閉ざされる空気室
４ｂ  ６が木材と密着されることにより閉ざされる空気
５    面を大きくとるためせり出した羽
６    木質の構造材と密着させる面部分
【図１】
0003114780.tif 000003
【図２】
0003114780.tif 000004
【図３】
0003114780.tif 000005
【図４】
0003114780.tif 000006
【図５】
0003114780.tif 000007
【図６】
0003114780.tif 000008
【手続補正書】
【提出日】平成17年7月4日(2005.7.4)
【手続補正１】
【補正対象書類名】明細書
【補正対象項目名】全文
【補正方法】変更
【補正の内容】
【考案の詳細な説明】
【技術分野】
【０００１】本考案は、木造住宅の耐震補強に合成樹脂成型品を使って、より簡易に、かつ安価に施工するための制震部材に関する考案である。
【背景技術】
【０００２】構造用木材の主に縦材横材の交差する箇所、すなわち柱と梁あるいは土台と柱などの地震の揺れによって損傷が懸念される箇所の補強には、しばしば、側面からのＴ字型の隅金やＬ字型の棚受のような金折隅金を木ねじなどで固定していた。その後その施工による効果の大きくないことが実証されてから、様々な施工方法が生み出されている。しかしそれらの多くは、熟練した技能者によってのみ可能な施工方法となっている。
【考案の開示】
【考案が解決しようとする課題】
【０００３】Ｔ字型やＬ字型の金物のように施工が簡単である部材の欠点は、地震などの激しい揺れの最中に、木ねじなどの留め金が緩み、あるいは抜け落ちて、本来金物の面で木材を押さえつけて骨組みを守る筈の役目を失ってしまうことにある。また、その後の様々な施工技術は、安全のために多くの費用を求めている。【０００４】また、木造建築物の地震による構造的欠点は、木材の性質上たわみというものが発生し、その構造体の粘りがどの程度のものかにより被害程度が大きくなる。さらには、縦揺れの時のホゾ抜けという現象が被害を大きくする。【０００５】そこで、本考案の目的は、専門業者に依頼するしないに係わらず取り付けが容易な制震部材の提供であり、その部材の固定装着が専門業者に依頼された場合も、費用がわかり易く提示されることにある。そして、取り付けられた部材が、木造建築物の地震による縦横の大きなたわみや飛び跳ねを緩衝しあるいは制御させることにある。
【課題を解決するための手段】
【０００６】上記目的を達成するために、本考案の合成樹脂による制震部材は、図１に代表するとおり、合成樹脂の面と木材の面を望ましくは接着剤を媒介として固定する。下部から上部に向けて取り付ける場合や、木材表面の汚れにより圧着を求められる場合は、ステープルなどで接着を補助する。合成樹脂のその内部には少なくとも一つ以上の空気室を抱き、樹脂の持つ弾性を生かし、揺れを効果的に吸収させる。【０００７】本考案では、制震部材と木材の面と面による接着によって、Ｔ字型やＬ字型の金物においての止め具の緩みや欠落の欠点を払拭している。木材と合成樹脂との接着の相性の良さが本考案の柱になっている。【０００８】また、本考案部材の取付け箇所である木材の接合部分については、人間に例えれば関節のような力のかかる箇所である為、軟骨のような柔軟性のある素材が好ましい。仮に、Ｔ字型やＬ字型の金物が木材との接着において、樹脂のそれと同程度の強度を保持できたとすればどうか。強固に関節部分を押さえ込めば、今度は、木材を組んだ箇所と別のその箇所との間に大きなたわみがかかってそこで木材が破断する。【０００９】そこで本考案は、取り付ける樹脂の内部を閉ざされた少なくとも一つ以上の空洞を含有することにより地震の揺れに柔軟に耐えるよう工夫されている。図２あるいは図３のように取付け可能な箇所全てに取り付けることにより、張力・圧力さらには捩れにも部材同士が干渉しあって効果を挙げる。垂直水平の両面の確かな接着により、両面からの圧力を瘤の部分で緩衝し、上下動にも耐える。【００１０】本考案の合成樹脂成型耐震部材の内包する少なくとも一つ以上の空気室は、空気室が多数のときは、非常に多くの気泡を含む瘤状の塊である。この瘤状の塊はその形状を特定しない。原料とする樹脂の量を少なく抑え、かつ効果的に弾性を生み出す役目を負う。部材の容積を大きく取り、接着面の広さとクッションとなる瘤状突起を大きくさせ、軽量化を計るとともにコストを抑える。【００１１】部材となる合成樹脂は、たとえば、塩ビ系の柔らかな素材でもよく、ポリカーボネイトのような硬質樹脂でもよいが、揺れの大きな上層階には、塩ビ系で、一階床下のように揺れそのものよりもかかる力の大きな箇所には、ポリカーボネイトを材料とするなど、樹脂の選択と、当然ながらそのときの木材との接着剤の選択は異なる。【００１２】また、請求項６の接着剤を用いずに瘤状の少なくとも一つ以上の空気室を含有する合成樹脂成型品を木材に固定するときその瘤状の塊は請求項２に説明のとおり成型時に閉ざされた空気室となっている必要があるが、ビス等で固定するには面と面との離反をさせないため、ワッシャーの工夫は必要である。
【考案の効果】
【００１３】以上の説明で明らかなように、金型を数種類の少なさに限定して成型された合成樹脂成型品はコストが安価である。安価な製品であり、かつ施工が単純であれば、専門家に依頼しなくとも耐震補強は行い易い。また、その施工を業者に委託した場合でも、部材の単価と取付工賃が判りやすく明示されるため安心である。よって、既存あるいは新築の木造住宅の耐震補強は進みやすい。【００１４】また、建物固有の振動特性を考えるとき、木造建築物のように履歴減衰利用型の建物は、大地震のときに地震エネルギーを構造体の粘りで抵抗させ崩壊させないように設計されている。本考案の合成樹脂による制震部材は、縦材と横材の両面同時接着により、横揺れ地震の時に梁と柱の接合部分などにかかる揺れによる歪を緩衝し、縦揺れの場合の柱が抜け落ちてしまうようなホゾ抜けにも効果を期待できる。
【考案を実施するための最良の形態】
【００１５】図１は合成樹脂成型により製造された制震部材の第１実施例を、木造住宅の構造を組む木材の縦材１と横材２の交差する箇所に取り付けたときの斜視図である。３は少なくとも一つ以上の空気室４を含有する瘤状部分であり、この部分が閉ざされていることにより、構造材の交差する箇所にかかる揺れの負担をクッションとなって変形しながら圧縮と伸張と捻れで吸収する。【００１６】５は制震部材のせり出したフランジであり、その効果は制震部材と木材を密着させる面をより大きく取り、地震の振動から受ける力を確実に瘤状部分３に伝える為である。いまひとつの役目は請求項５あるいは請求項６のビス等の止め金具を用いるときにその金具を打ち付ける箇所である。【００１７】図２は図１の制震部材そのものを斜視図として表している。６は木材と接する接触面であり、直角な２面に設けられている。図１，図３，図４は図２の制震部材を一方向，二方向，三方向から取り付けたときの斜視図である。本考案の制震部材は対象となる木造建築物の取り付け可能な箇所により多く取り付けたときにより大きな効果を生み出す。【００１８】図３の場合は横材の梁２あるいは土台の延長線上に揺れたとき左右の制震部材が互いに押され引っ張られ状態になり、緩衝物としての効果を発揮する。図４においては、三方向の圧力を緩和する。２ａ，２ｂは横材である。【００１９】本制震部材は、請求項４あるいは請求項５にあるように、接着剤を用いれば、揺れの横方向のみならず、ホゾ抜けを生じる激しい直下型の縦揺れ地震においても大きな効果を示す。【００２０】図５および図６は請求項３に記載の制震部材を説明する為に描いた第２、第３実施例である。瘤状部分３の空間４は木材側に向かって開口している。しかし、開口部４ａの周囲の面６が木材と密着することにより、空間４が閉ざされ、前述の効果を生む。図６では、フランジ５が木材１、２に対してそれぞれ３面で密着する。【００２１】請求項６に記載の制震部材とは、図２のように閉ざされた部材が、閉ざされた空気室を取り囲むようにビスなどの金具で止められることであり、開口部があっては成り立たない。
【図面の簡単な説明】
【００２２】
【図１】本考案にかかる合成樹脂成型品を構造用木材の縦材と横材の交差する箇所に取り付けたときの斜視図である。
【図２】閉ざされた空気室を含有する合成樹脂成型品のサンプルとする部材の斜視図である。
【図３】図２の部材を二方向より取り付けたときの斜視図である。
【図４】図２の部材を三方向より取り付けたときの斜視図である。
【図５】請求項３に記載の、合成樹脂の面と木材の面を密着させることにより、少なくとも一つ以上の閉ざされた空気室を生ずることを特徴とする合成樹脂部材を説明するサンプルの斜視図である。
【図６】同じく請求項３に記載の方法を図５とは異なった方法で取り付けたときのサンプルの斜視図である。
【符号の説明】
【００２３】１    縦方向の木質構造材
２    横方向の木質構造材
３瘤状部分
４    成型時に閉ざされた一つ以上の空気室
４ａ  木材と密着されることにより閉ざされる開口部
５    面を大きくとるためせり出したフランジ
６    木質の構造材と密着させる面部分
【手続補正２】
【補正対象書類名】実用新案登録請求の範囲
【補正対象項目名】全文
【補正方法】変更
【補正の内容】
【実用新案登録請求の範囲】
【請求項１】
木造住宅の構造を組む木材の交差する９０度以下の箇所に固定される制震部材であって、
合成樹脂成型により製造され、９０度以下で交差する一方の木材の面に密着固定される接触面と、他方の木材の面に密着固定される接触面とを持ち、上記両接触面の間に内部に少なくとも１つの空気室を有する瘤状部分が一体に形成されていることを特徴とする制震部材。
【請求項２】
上記瘤状部分の空気室は、成型段階で外部に対して閉ざされた状態で形成されていることを特徴とする請求項１に記載の制震部材。
【請求項３】
上記瘤状部分の空気室は、上記両接触面に対して開口するように形成され、上記両接触面が木材の面に密着固定されることによって密閉された空気室が形成されることを特徴とする請求項１に記載の制震部材。
【請求項４】
上記両接触面は、接着剤によって上記木材の面と接着固定されることを特徴とする請求項１ないし３のいずれか１項に記載の制震部材。
【請求項５】
上記両接触面は、接着剤によって上記木材の面と接着され、かつ、ビス等の止め金具を併用することにより、両接触面が上記木材の面に固定されることを特徴とする請求項１ないし３のいずれか１項に記載の制震部材。
【請求項６】
ビス等の止め金具によって上記接触面が木材の面に密着固定されることを特徴とする請求２に記載の制震部材。
【請求項７】
上記瘤状部分の空気室は、その役割たる緩衝性を損なわない程度に外気と気圧の調整をするために、小さな穴もしくは亀裂を持つことを特徴とする請求項２に記載の制震部材。
【手続補正３】
【補正対象書類名】図面
【補正対象項目名】図５
【補正方法】変更
【補正の内容】
【図５】
0003114780.tif 000009
【手続補正４】
【補正対象書類名】図面
【補正対象項目名】図６
【補正方法】変更
【補正の内容】
【図６】
0003114780.tif 000010